(57)【要約】【課題】  カード型入力装置において、カードがタッチパネル下部に装着されたときに、駆動ローラーとかみ合っていることを特徴とするカード型入力装置。【解決手段】  バーコードセンサー（リーダー）の両側に駆動ローラーを配置し、カードをタッチパネルの所定の位置（タッチパネル下部）に移動させ、または、カードを排出させる、カード型入力装置であり、カードがタッチパネル下部の所定の位置に移動したときに、カードの終端面が駆動ローラーとかみ合っていることにより、タッチパネルから入力しても、カードが固定されて安定しており、かつ、カードの排出時に容易にカードを排出できるように構成した。【選択図】        図１
2005078569.tif 000002
【特許請求の範囲】
【請求項１】
バーコードセンサーの両側に駆動ローラーが配置されており、さらに、各駆動ローラーより外側にカード検出センサーが配置されているカード型入力装置において、カード入り口側の前部センサーによりカードを検出し、駆動モータを駆動させ、一定の回転数、もしくは一定のパルス数を制御することにより、カードを搬送し、カードの終端面が後部駆動ローラーとかみ合う位置で停止させることを特徴とする、カード型入力装置。
【請求項２】
請求項１において、駆動モータはステッピングモータを使用することを特徴とするカード型入力装置。
【請求項３】
請求項１において、駆動モータはＤＣモータを使用し、モータの回転を検出するロータリーエンコーダーもしくは、リニアエンコーダーを使用することを特徴とするカード型入力装置。
【請求項４】
請求項１において、カード検出のセンサーは光学式センサーを用いたことを特徴とするカード型入力装置。
【請求項５】
請求項１において、カード検出のセンサーは機械的スイッチを用いたことを特徴とするカード型入力装置。
【請求項６】
請求項１において、カード検出のセンサーは少なくとも１個以上のセンサーを用いることを特徴とするカード型入力装置。
【請求項７】
請求項１において、駆動ローラーは前部駆動ローラーと後部駆動ローラーで同じ回転数であることを特徴とするカード型入力装置。
【請求項８】
請求項１において、前部駆動ローラーと後部駆動ローラーは可逆回転であることを特徴とするカード型入力装置。
【請求項９】
カードにバーコードが印刷されており、かつカード面に印刷されたアイコンを有し、バーコードにアイコンのデータ情報を持つことと、タッチパネル上でのアイコンの位置情報を持つことを特徴とするカード型入力装置。
【請求項１０】
カードにバーコードが印刷されており、かつカード面に印刷されたアイコンを有し、カードを搬送しながら、バーコード情報を読みとり、カードを透明なタッチパネルの下部に搬送し、タッチパネルから、アイコンを選択することを特徴とするカード型入力装置。
【請求項１１】
バーコードセンサーの両端に駆動ローラーが配置されたおり、バーコードセンサーのカードと接するコーナー面が直角でなく、カードと接触する面が両側ともに斜めになっていることを特徴とするカード型入力装置。
【発明の詳細な説明】
【技術分野】
【０００１】
本発明は、学習機器、電子式計算機、パーソナルコンピュータ、電子手帳、ＡＶ機器、情報処理端末、等に利用し得る透明タッチパネルの下部にもうけたカード収納部に情報カードを装着する、カード型バーコード入力装置である処のカード型入力装置に関する。
【背景技術】
【０００２】
従来のカード型入力装置では、例えば、使用する情報カードの周縁部に位置決め用の穴を係止して保持し、フォトセンサーが穴を検出しカードを識別したりしていた。
【０００３】
また、例えば、下記特許文献１に記載されている学習装置の場合、装置本体の上面に設けられた透明なタッチパネルを通して、その装置本体の所定の位置まで挿入されたカードの表面に描かれている文字や図形等を選択的にタッチすると、装置本体に内蔵されている制御部がカードの種類と透明タッチパネルのタッチされた位置に対応する音声データや表示データをメモりから読み出して、それを表示部に文字や図形で表示したり、音声を出したりする。その装置本体に設けられている透明なタッチパネルの下部には、スロット状のカード収納部が形成されており、そのカード収納部の入り口付近には挿入されたカードの下面によって押し下げられる一対のストッパーが配置されており、カード収納部の奥側には挿入されたカードによって挿入方向に移動され、その際にカード入り口側に押し戻す方向の不勢力を与える一対のスライダーが設けられている。そして、カード収納部にカードを所定の位置まで手で挿入したときに、カードの下面によって押し下げられていた一対のストッパーが上昇し、さらにカードが先端側に当接している一対のスライダーによって押し戻されることにより、ストッパーの爪部にカードの後端が係止され位置決めがされ、カードが所定の位置に保持される。このカードの位置決め状態において、カードは裏面に形成されているバーコードが、カードに対応させて装置本体に固定配置されている、反射型のフォトインタラプタによって検出される。
【特許文献１】特開平４−５８２８１号公報
【発明の開示】
【発明が解決しようとする課題】
【０００４】
従来のカード型入力装置では、前記のようにバーコードが印刷されたカードを、本体に配置されている透明タッチパネルの下部のカード収納部に装着する方法は、いずれの場合でも手動であり、カードを固定するにも複雑な手段で行っていた。
【０００５】
また、カード自体に穴を開けてカードを固定したり、カードを検出したりしていたために、カードを何回も使用するとカードの変形等で確実に装着されないという欠点があった。さらにカードに印刷されたバーコードをさらに情報量の多い２次元バーコードにした場合、手動での装着では読みとりが不完全になったり、読みとりができないと言う欠点があった。
【０００６】
本発明は、上記問題点に着目して成されたものであって、カードがタッチパネル下部に装着されたときに、駆動ローラーとかみ合っていることを特徴とするカード型入力装置の提供を目的とする。
【課題を解決するための手段】
【０００７】
上記課題を解決するために、本発明のカード型入力装置は、以下（１）〜（１１）の構成を備える。
【０００８】
（１）バーコードセンサーの両側に駆動ローラーが配置されており、さらに、各駆動ローラーより外側にカード検出センサーが配置されているカード型入力装置において、カード入り口側の前部センサーによりカードを検出し、駆動モータを駆動させ、一定の回転数、もしくは一定のパルス数を制御することにより、カードを搬送し、カードの終端面が後部駆動ローラーとかみ合う位置で停止させることを特徴とする、カード型入力装置。
【０００９】
（２）上記（１）において、駆動モータはステッピングモータを使用することを特徴とするカード型入力装置。
【００１０】
（３）上記（１）において、駆動モータはＤＣモータを使用し、モータの回転を検出するロータリーエンコーダーもしくは、リニアエンコーダーを使用することを特徴とするカード型入力装置。
【００１１】
（４）上記（１）において、カード検出のセンサーは光学式センサーを用いたことを特徴とするカード型入力装置。
【００１２】
（５）上記（１）において、カード検出のセンサーは機械的スイッチを用いたことを特徴とするカード型入力装置。
【００１３】
（６）上記（１）において、カード検出のセンサーは少なくとも１個以上のセンサーを用いることを特徴とするカード型入力装置。
【００１４】
（７）上記（１）において、駆動ローラーは前部駆動ローラーと後部駆動ローラーで同じ回転数であることを特徴とするカード型入力装置。
【００１５】
（８）上記（１）において、前部駆動ローラーと後部駆動ローラーは可逆回転であることを特徴とするカード型入力装置。
【００１６】
（９）カードにバーコードが印刷されており、かつカード面に印刷されたアイコンを有し、バーコードにアイコンのデータ情報を持つことと、タッチパネル上でのアイコンの位置情報を持つことを特徴とするカード型入力装置。
【００１７】
（１０）カードにバーコードが印刷されており、かつカード面に印刷されたアイコンを有し、カードを搬送しながら、バーコード情報を読みとり、カードを透明なタッチパネルの下部に搬送し、タッチパネルから、アイコンを選択することを特徴とするカード型入力装置。
【００１８】
（１１）バーコードセンサーの両端に駆動ローラーが配置されたおり、バーコードセンサーのカードと接するコーナー面が直角でなく、カードと接触する面が両側ともに斜めになっていることを特徴とするカード型入力装置。
【発明の効果】
【００１９】
以上説明したようにカードをカード型入力装置に挿入し、前部センサーがカードを検出し、前部駆動ローラーと後部駆動ローラーにより、カードをタッチパネルの下部の所定の位置に移動したときに、カードの終端面が後部駆動ローラーとかみ合っていることにより、カードを排出するときに、素早くかつ正確にカードを排出することができる。
【００２０】
また、カードがカード型入力装置に挿入され、前部センサーがカードを検出したときに、前部駆動ローラーと後部駆動ローラーが駆動モータにより回転し、カードを所定の位置まで搬送するが、駆動モータにステッピングモータを使用することにより、駆動モータを駆動するパルス数により、所定の位置までの距離を正確にカードを搬送することができる。このことにより、カードのタッチパネルの下部の所定の位置にカードが移動したことを検出するためのスイッチをわざわざ設けなくてもすむ。また、スイッチのばらつきにより、カードが所定の位置よりずれて、装着されることも無くなる。
【００２１】
また、カードがカード型入力装置に挿入されて、前部センサーがカードを検出したときに、前部駆動ローラーと後部駆動ローラーが駆動モータにより回転し、カードを所定の位置まで搬送するが、駆動モータにＤＣモータとロータリーエンコーダーを使用することにより、駆動モータを制御することにより、所定の位置までの距離を正確にカードを搬送することができる。このことにより、カードのタッチパネルの下部の所定の位置にカードが移動したことを検出するためのスイッチをわざわざ設けなくてもすむ。また、スイッチのばらつきにより、カードが所定の位置よりずれて、装着されることも無くなる。
【００２２】
また、カードがタッチパネルの下部の所定の位置に挿入された場合、後部駆動ローラーがカードの終端面とかみ合っているために、タッチパネルに対して、カードの位置がずれることが無く固定されるので、カードとタッチパネルの位置ずれが無くなる。
【発明を実施するための最良の形態】
【００２３】
以下に本発明を実施するための最良の形態を、実施例に基づいて図面を参照しながら説明する。
【００２４】
図１、２は本発明の外観を示した図で、図１はカード型入力装置にカードを挿入しようとしている図であり、図２はカード型入力装置にカードを挿入し、定位置にカードが挿入された状態の図である。
【００２５】
また、図３乃至図６はカードをカード型入力装置に挿入していく段階を示した断面図であり、また、図７乃至図１０は図３乃至図６に対応した斜視図である。
【００２６】
図３と図７はカード型入力装置にカードを入れかけた図で、入り口センサーをカードが通過した図である。
【００２７】
また、図４と図８はカード型入力装置にカードが挿入されて、前部駆動ローラーにより、カードがバーコードセンサーにかかったところの図である。
【００２８】
また、図５と図９はカード型入力装置にカードが挿入されて、前後駆動ローラーにより移動し、カードの先端がカード後ろセンサーにさしかかっている図である。
【００２９】
また、図６と図１０はカード型入力装置にカードが駆動ローラーにより挿入され、カードがタッチパネル下部の所定の位置に装着完了の状態である、また、この位置では後部駆動ローラーにカードの終端がかみ合って止まっている状態で、タッチパネルに対して所定の位置に配置されている状態の図である。
【００３０】
図１、図２において１はカード型入力装置の外装であるところの上カバーである。２は同じくカード型入力装置の外装であるところの下カバーである。３は直接、操作するところのタッチパネルでありガラスで透明であり、最上部に抵抗膜のフィルムが張ってあり、位置を検出するものである。４０はカードに印刷されたアイコンである。５は同じくカードに印刷された２次元バーコードである。
【００３１】
図３、図４、図５、図６において１はカード型入力装置の外装であるところの上カバーである。２は同じくカード型入力装置の外装であるところの下カバーである。３は直接、操作するところのタッチパネルでありガラスで透明であり、最上部に抵抗膜のフィルムが張ってあり、位置を検出するものである。４は情報が２次元バーコードで印刷されたカードであり、６は上カバー１に固定されているメインシャーシーであり、センサーや駆動ローラーを固定している。７は駆動ローラーの後部に位置するところのカード４を検出するための後部センサーであり、赤外線でセンシングし、カード４により遮光されるとカード４を検出できるものである。同じく８は駆動ローラーの前に配置され、カード４を同じく検出するための前部センサーである。このセンサー８も後部センサー７と同じく、赤外線が遮断されるとカード４を検出する物である。９はメインシャーシー６に位置固定されて回転可能なローラーであり、材質はゴムでできており、１９のローラー軸と一体になっているものであり、前部センサー８の後ろに配置されている前部駆動ローラーである。１９は前記の説明のように前部駆動ローラー９と一体になり、メインシャーシー６に位置固定されており、回転可能な前部ローラー軸である。１０は同じく、メインシャーシー６に位置固定されて回転可能なローラーであり、材質はゴムでできており、ローラー軸１８と一体になっているものであり、後部センサー７の前に配置されている後部駆動ローラーである。１８は前記の説明のように後部駆動ローラー１０と一体になりメインシャーシー６に位置固定されており回転可能な後部ローラー軸である。１７はカード４に印刷された２次元バーコード５を読みとるためのバーコードセンサーである。２０は下カバー２に固定されている下シャーシーである。１２は前部駆動ローラー９と対になるローラーで下シャーシー２０により上下だけに可動可能であり左右方向は固定されており、回転可能な前部ローラーである。１３は前部ローラー１２の回転軸であり、前部ローラー軸である。下シャーシー２０のＵ溝により規制されており、トーションばね１５により絶えず上方向にふせいされており、前部駆動ローラー９と前部ローラー１２は絶えず同時回転するようになっている。また同じく１１は後部駆動ローラー１０と対になるローラーで下シャーシー２０により上下だけに可動可能であり左右方向は固定されており、回転可能な後部ローラーである。１４は後部ローラー１１の回転軸であり、後部ローラー軸である。下シャーシー２０のＵ溝により規制されており、トーションばね１５により絶えず上方向にふせいされており、後部駆動ローラー１０と後部ローラー１１は絶えず同時回転するようになっている。また、１５は後部ローラー軸１４と前部ローラー軸１３にそれぞれ加重をかけるためのトーションばねであり、ばね支点１６を中心に可動可能である。ばね支点１６は下シャーシー２０に固定されている。
【００３２】
図７乃至図１０において、２１は後部駆動ローラー軸１８に取り付けられたタイミングベルト用の歯車であり後部駆動ローラー歯車である。また、２４は同じく前部駆動ローラー軸１９に取り付けられたタイミングベルト用の歯車であり前部駆動ローラー歯車である。また、２５は後部駆動ローラー１０と前部駆動ローラー９を駆動するためのステッピングモータであり、駆動モータである。２６は駆動モータ２５と軸結合しており回転を減速するための駆動減速ユニットであり、中には図示しない、歯車がいくつかあり、駆動モータ２５の回転を減速している。また、２２は駆動減速ユニット２６に軸で結合されたタイミングベルト用の歯車であり、タイミングベルト２３により後部駆動ローラー歯車２１と前部駆動ローラー歯車２４を回転させることができる。
【００３３】
図１，２の本発明のカード型入力装置において、特に図２のカードが装着された場合、カード型入力装置に内蔵されている図示しない演算処理回路、通信回路により、また、図示しないディスプレー（テレビ）本体に内蔵されている演算処理回路と通信回路により、カード型入力装置と前記本体が通信し、アイコン４０で表示されているホームページにアクセスすることが可能となる。カードに印刷された２次元バーコード５にはアイコン４０のホームページのアドレスとタッチパネルによるアイコンのカード上での位置、等の情報が入力されている。
【００３４】
また、別のカードで４０のアイコンが写真を表している写真カードの場合で、図示しない情報処理装置のハードディスクに蓄えられている写真の画像情報をカード型入力装置に挿入した写真カードにより呼び出すことが可能である。この場合、カードに印刷された２次元バーコード５にはアイコン４０の写真情報が蓄積されているハードディスクのアドレス情報が入っており、かつ、タッチパネルによるアイコンのカード上での位置、等の情報が入力されている。
【００３５】
また、別のカードでアイコン４０がキーボードのキートップの印刷がされているキーボードカードの場合、図示しない情報処理装置のキーボード入力と同じ機能を有し、カードに印刷された２次元バーコード５にはアイコン４０のキーボードのキーの情報とタッチパネルによるアイコンのカード上での位置、等の情報が入力されている。
【００３６】
図３は図７と同じ状態の図であり、カード４を手動で、カード型入力装置に挿入しようとしている図であり、カード４が前部センサー８を遮断している状態の図であり、前部センサー８はカード４を検出するための光学式センサーであり、赤外線の発行部と赤外線の受光部とからなる。カード４が前部センサー８の赤外線を遮断すると、カード４がカード型入力装置に挿入されたことを検知し、図７においての駆動モータ２５が回転をはじめる。
【００３７】
駆動モータ２５はステッピングモータであり、モータを動かすためのパルス数により回転数が把握できるために、パルス数により前部駆動ローラー９や後部駆動ローラー１０により、カード４の搬送距離が把握できる。
【００３８】
駆動モータ２５が回転すると駆動モータ２５に結合されている、駆動減速ユニット２６により回転数が減速される。駆動減速ユニット２６の中には、図示しない、ギヤが組み込まれており、ギヤの組み合わせにより回転数が減速される。また、駆動減速ユニット２６に結合されている、駆動軸歯車２２が回転をし、駆動軸歯車２２はタイミングベルト２３を駆動する。タイミングベルト２３が回転すると、タイミングベルト２３にかみ合っている、後部駆動ローラー軸１８に結合している、後部駆動ローラー歯車２１が回転し、後部駆動ローラー１０も回転する。これと同時に、駆動軸歯車２２の回転により駆動軸歯車２２にかみ合っているタイミングベルト２３により、やはり、タイミングベルト２３にかみ合っている、前部駆動ローラー歯車２４が回転をする。前部駆動ローラー歯車２４は前部駆動ローラー軸１９に結合されている、そして、前部駆動ローラー軸１９と結合されている、前部駆動ローラー９が回転をする。この一連の動作により、前部駆動ローラー９と後部駆動ローラー１０は同じ回転方向で、同じ回転数である。
【００３９】
前部センサー８をカード４が遮蔽することにより、前部駆動ローラー９と後部駆動ローラー１０が回転をし、カード４はカードの所定の位置の方向へ移動させられる。
【００４０】
また、図３と図７において、前部駆動ローラー９と前部ローラー１２はばね支点１６を中心として回転可能なトーションばね１５により、また、下シャーシー２０に設けられたＵ溝により前部ローラー１２は絶えず上の前部駆動ローラー９と有る一定のテンションで押しつけられている。よって、カード４が挿入されると、前部駆動ローラー９と前部ローラー１２に押さえつけられてカード４が図３において、紙面右方向へ移動させられる。
【００４１】
同じように、後部駆動ローラー１０と後部ローラー１１はばね支点１６を中心として回転可能なトーションばね１５により、また、下シャーシー２０に設けられたＵ溝により後部ローラー１１は絶えず上の後部駆動ローラー１０と有る一定のテンションで押しつけられている。よって、カード４が挿入されると、後部駆動ローラー１０と後部ローラー１１に押さえつけられてカード４が図３において、紙面右方向へ移動させられる。
【００４２】
なお、前記で説明したように前部駆動ローラー９と後部駆動ローラー１０は同じ回転数のためカード４はスムーズに移動可能である。また、前部駆動ローラー９と後部駆動ローラー１０は同じ回転数で有ることは、それぞれと対になっている、前部ローラー１２と後部ローラー１１も同じ回転数である。
【００４３】
図４と図８は同じ状態を表しており、図４において、カード４は図３と図７の状態で前部センサー８を通過し、前部駆動ローラー９と前部ローラー１２の回転により、カード４の先端がバーコードセンサー１７にさしかかった状態を表している。この状態ではカード４は前部駆動ローラー９と前部ローラー１２とによってのみ移動されている。
【００４４】
図５と図９は同じ状態を表しており、カード４が後部駆動ローラー１０と後部ローラー１１にかみ合い、移動し、カード４の先端が後部センサー７にさしかかっている状態である。前部センサー８でカード４を検出すると、図９において駆動モータ２５が回転することにより前部駆動ローラー９と前部ローラー１２により、カード４が送られるが、さらにカード４が移動すると今度は、後部駆動ローラー１０と、後部駆動ローラー１０とともに回転する後部ローラー１１に、カード４が送られる。後部駆動ローラー１０と後部ローラー１１はばね支点１６を中心として回転可能なトーションばね１５により、また、下シャーシー２０に設けられたＵ溝により後部ローラー１１は絶えず上の後部駆動ローラー１０と有る一定のテンションで押しつけられている。よって、カード４が挿入されると、後部駆動ローラー１０と後部ローラー１１に押さえつけられてカード４が図５において、紙面右方向へ移動させられる。つまり、図９の状態ではカード４は前部駆動ローラー９と前部ローラー１２にかみ合い、搬送されるのと同時に、後部駆動ローラー１０と後部ローラー１１によっても、搬送させられる。
【００４５】
前部駆動ローラー９と後部駆動ローラー１０は同じ回転数のため、カード４は前部と後部のローラーに挟まれて、安定した走行をする。よって、バーコードセンサー１７に対してもカード４は安定した走行をするので、カード４に印刷された２次元バーコード５を正確に読みとることが可能である。
【００４６】
図６と図１０はやはり同じ状態を表した図である。図６において、カード４は前部センサー８によりカード４が検出されると、前部駆動ローラー９と前部駆動ローラー９と対になっている、前部ローラー１２により図６において紙面右方向に移動され、後部駆動ローラー１０と後部駆動ローラー１０と対になっている後部ローラー１１まで搬送される。カード４はさらに移動し、後部駆動ローラー１０と後部駆動ローラー１０と対になっている後部ローラー１１によりかみ合い、さらに紙面右方向に移動する。カード４の移動量は、図１０において、前部駆動ローラー９と後部駆動ローラー１０を回転させる駆動モータ２５により決定される。駆動モータ２５はステッピングモータであり、前部センサー８がカード４が遮った時に、電流が流れ、一定のパルス数、駆動することにより、一定量を搬送することができる。
【００４７】
図１０の状態は図６でも明白であるが、カード４はタッチパネル３の下部に位置し、タッチパネル３に対し所定の位置で停止している状態の図である。この位置ではカード４の後端部が後部駆動ローラー１０と後部ローラー１１にかみ合った状態で停止している。図１０の状態は図２の状態と同じである。
【００４８】
図１０、図６もしくは図２の状態で、前記説明したようにたとえば、インターネットにおいて、カード４に印刷されたアイコン６０をタッチパネルの上から選択することにより、２次元バーコード５に含まれている情報により図示しない情報処理装置により、アイコン６０に相当する、ホームページにすぐさまアクセスすることが可能である。また、６０の別のアイコンをタッチパネルの上から選択することにより、別のホームページにアクセスすることが可能である。
【００４９】
図６，図１０もしくは図２において、６０のアイコンでカード４を排出するアイコンをタッチパネルの上から選択することにより、駆動モータ２５が、前記とは逆回転し、駆動モータ２５の出力軸が結合している駆動減速ユニット２６により減速される。また、駆動減速ユニット２６に結合している駆動軸歯車２２によりやはりこれにかみ合っているタイミングベルト２３が駆動され、さらにタイミングベルト２３にかみ合っている後部駆動ローラー歯車２１と前部駆動ローラー歯車２４により後部駆動ローラー１０と前部駆動ローラー９が回転することにより、カード４は挿入時と逆の方向、つまり、図６において、紙面左方向へ移動する。カード４を排出する、駆動モータ２５はステッピングモータであるため、カード４の挿入時と同じように、ある一定のパルス数を駆動することにより、カード４は前部駆動ローラー９と前部ローラー１２より排出される。
【００５０】
図４において、バーコードセンサー１７でカード４の移動時にバーコードセンサー１７のコーナーをカード４との摩擦抵抗を少なくし、かつ、スムーズにカード４が搬送されるようにバーコードセンサー１７のコーナーを斜めにしてある。斜めの面は、カード４が挿入、排出で双方向移動するために、バーコードセンサー１７の両方のコーナーとも、斜めにしてある。
【００５１】
また、図１１はカード４をカード型入力装置に挿入するときのフローチャート図であり、図１２はカード４がカード型入力装置から排出されるときのフローチャート図である。
【図面の簡単な説明】
【００５２】
【図１】本発明の特徴を表し、全体を表す斜視図
【図２】本発明の特徴を表し、全体を表す斜視図
【図３】本発明の特徴を表す断面図
【図４】本発明の特徴を表す断面図
【図５】本発明の特徴を表す断面図
【図６】本発明の特徴を表す断面図
【図７】本発明の特徴を表す斜視図
【図８】本発明の特徴を表す斜視図
【図９】本発明の特徴を表す斜視図
【図１０】本発明の特徴を表す斜視図
【図１１】カード４をカード型入力装置に挿入するときのフローチャート
【図１２】カード４がカード型入力装置から排出されるときのフローチャート
【符号の説明】
【００５３】
１  カバー
２  下カバー
３  タッチパネル
４  カード
５  ２次元バーコード
６  メインシャーシー
７  後部センサー
８  前部センサー
９  前部駆動ローラー
１０  後部駆動ローラー
１１  後部ローラー
１２  前部ローラー
１３  前部ローラー軸
１４  後部ローラー軸
１５  トーションばね
１６  ばね支点
１７  バーコードセンサー
１８  後部駆動ローラー軸
１９  前部駆動ローラー軸
２０  下シャーシー
２１  後部駆動ローラー歯車
２２  駆動軸歯車
２３  タイミングベルト
２４  前部駆動ローラー歯車
２５  駆動モータ
２６  駆動減速ユニット
４０、６０  アイコン
【図１】
2005078569.tif 000003
【図２】
2005078569.tif 000004
【図３】
2005078569.tif 000005
【図４】
2005078569.tif 000006
【図５】
2005078569.tif 000007
【図６】
2005078569.tif 000008
【図７】
2005078569.tif 000009
【図８】
2005078569.tif 000010
【図９】
2005078569.tif 000011
【図１０】
2005078569.tif 000012
【図１１】
2005078569.tif 000013
【図１２】
2005078569.tif 000014